(57)【要約】      （修正有）【課題】壁面又はガラス面に固定される花器の提供。【解決手段】一つの花器本体１が少なくとも二つ以上の収容空間を備え、各々の収容空間に対して少なくとも一つ以上の開口部を備え、壁面又はガラス面に固定する固定手段５を備えることで、複数の花器を使用しなくても、壁面又はガラス面を多数の種類の植物及び／又は生花及び又は／造花を飾ることを可能とし、ボリューム感をもたせることを可能とする花器。４は、壁面又はガラス面。【選択図】図３
0003114073.tif 000002
【実用新案登録請求の範囲】
【請求項１】
内部に植物及び／又は生花及び又は／造花が収容される収容空間を少なくとも二つ以上備え、各々の収容空間に対して少なくとも一つ以上の開口部を備えることを特徴とする花器。
【請求項２】
前記花器に壁面又はガラス面に固定する固定手段を備えることを特徴とする請求項１に記載の花器。
【請求項３】
前記花器本体内部に備えられた各々の収容空間内部に、該花器本体の外部から、吸水性素材からなる紐またはシートを挿入する挿入孔を少なくとも一つ以上備えることを特徴とする請求項１又は請求項２に記載の花器。
【請求項４】
請求項１又は請求項２又は請求項３に記載の花器を収納する収納空間を少なくとも一つ以上備え、壁状の形状をなす花器台を含むことを特徴とする請求項１又は請求項２又は請求項３に記載の花器。
【請求項５】
前記花器台に少なくとも一つ以上備えられた各々の収納空間に請求項１又は請求項２又は請求項３に記載の花器を収納する際に、該花器本体と前記花器台の収納空間の内壁面とを固定する固定手段を備えることを特徴とする請求項４に記載の花器。
【考案の詳細な説明】
【技術分野】
【０００１】
本考案は内部に植物及び／又は生花及び又は／造花が収容される収容空間を少なくとも二つ以上備え、各々の収容空間に対して少なくとも一つ以上の開口部を備える花器本体と該花器本体を壁面又はガラス面に固定する固定手段とを備えることを特徴とする花器に関するものである。
【背景技術】
【０００２】
たとえば、特開昭５２−９８１３５号公報、実願平８−４６４１、実願２００２−６２１３などの壁面又はガラス面に固定する花器は、花器本体の収容空間は一つに限定され、また収容空間の開口部も一つに限定されるものであり、一つの花器本体に複数の収容空間を備え、及び／又は各々の収容空間に複数の開口部を備える花器は考案されていなかった。
【考案の開示】
【考案が解決しようとする課題】
【０００３】
上記に参照した文献例のように、今までの壁面又はガラス面に固定する花器は、花器本体を単独で使用するため、複数の種類の植物を飾ることや、ボリューム感を持たせたて飾ることが困難である。また、花器そのものが目立つ構造になるため、植物を主役とする装飾には適さない。
【０００４】
さらに灌水後、花器本体の底面に作られた水抜き穴から水滴が落ち、ガラス面を汚すという課題を克服するために、水抜き穴を作らないか又は蓋をする方法を用いることで生じる課題として、灌水された必要以上の水分により根部への通気の確保が困難になるという課題が生じる。
【０００５】
したがって、本考案は、壁面又はガラス面に固定する単独の花器本体で多数の種類の植物を飾ることを可能とし、ボリューム感をもたせることを可能とし、必要に応じて、花器を視野から隠すこともでき、灌水時に必要以上の水分によりガラス面を汚すことがなく灌水も容易にできる壁面又はガラス面に固定する花器を提供しようとするものである。
【課題を解決するための手段】
【０００６】
請求項１は、内部に植物及び／又は生花及び又は／造花が収容される収容空間を少なくとも二つ以上備え、各々の収容空間に対して少なくとも一つ以上の開口部を備えることを特徴とする花器。
【０００７】
請求項２は、前記花器に壁面又はガラス面に固定する固定手段を備えることを特徴とする請求項１に記載の花器。
【０００８】
請求項３は、前記花器本体内部に備えられた各々の収容空間内部に、該花器本体の外部から、吸水性素材からなる紐またはシートを挿入する挿入孔を少なくとも一つ以上備えることを特徴とする請求項１又は請求項２に記載の花器。
【０００９】
請求項４は、請求項１又は請求項２又は請求項３に記載の花器を収納する収納空間を少なくとも一つ以上備え、壁状の形状をなす花器台を含むことを特徴とする請求項１又は請求項２又は請求項３に記載の花器。
【００１０】
請求項５は、前記花器台に少なくとも一つ以上備えられた各々の収納空間に請求項１又は請求項２又は請求項３に記載の花器を収納する際に、該花器本体と前記花器台の収納空間の内壁面とを固定する固定手段を備えることを特徴とする請求項４に記載の花器。
【考案の効果】
【００１１】
一つの花器本体が少なくとも二つ以上の収容空間を備え、各々の収容空間に対して少なくとも一つ以上の開口部を備え、壁面又はガラス面に固定する固定手段を備えることで、複数の花器を使用しなくても、壁面又はガラス面を多数の種類の植物及び／又は生花及び又は／造花を飾ることを可能とし、ボリューム感をもたせることを可能とする。
【００１２】
また花器本体の収容空間に収容された植物及び／又は生花及び又は／造花によって花器本体が見る人の視野から隠され、見る人に植物のボリューム感がより強調され、あたかも壁面又はガラス面に植物が生育しているような視覚効果も発揮する。
【００１３】
また花器本体の収容空間内部に、該花器本体の外部から、吸水性素材からなる紐またはシートを挿入する挿入孔を少なくとも一つ以上備えることで、植物及び／又は生花への給水時に吸水性素材の紐またはシートを通して給水を行うことが可能となり、壁面又はガラス面に固定したままの状態で、余剰な水で花器本体の周囲を濡らすことなく容易に給水が可能となる。
【考案を実施するための最良の形態】
【００１４】
以下、添付図面に従って実施例を説明する。図１は花器本体で、花器本体１は木材、合成樹脂材、陶磁材、金属材、石材、ガラス材、紙材、繊維材、皮革材等の適宜素材にて形成され、四角柱又は三角柱又は円柱の柱状体等を例とする内部に植物及び／又は生花及び又は／造花が収容される収容空間２ａ、２ｂ、２ｃ、２ｄを備え、各々の収容空間に対して開口部３ａ、３ｂ、３ｃ、３ｄを備えてなる。
【００１５】
図２は花器本体で、花器本体１は収容空間２ａ、２ｂ、２ｃ、２ｄを備え、収容空間２ａに対して開口部３ａａ、３ａｂ、３ａｃを備え、収容空間２ｂに対して開口部３ｂａ、３ｂｂ、３ｂｃを備え、収容空間２ｃに対して開口部３ｃａ、３ｃｂ、３ｃｃを備え、収容空間２ｄに対して開口部３ｄａ、３ｄｂ、３ｄｃを備えてなる。
【００１６】
図３では花器本体１は壁面又はガラス面４に固定する固定手段５を備える。固定手段５には例として吸盤、マグネット、マジックテープ（登録商標）等があるがこれらに特定されるものではなく、壁面又はやガラス面４と花器本体１が固定され着脱可能なものであればよい。
【００１７】
図４では花器本体１に備えられた各々の収容空間２ａ、２ｂ、２ｃ、２ｄ内部に、該花器本体１の外部から、吸水性素材からなる紐またはシートを挿入する挿入孔６が各々の収容空間に対して少なくとも一つ以上備えられている。吸水性素材はポリビニールアルコール（ＰＶＡ）スポンジ又は不織布等を用いるが、毛細管現象による吸水を利用できるものであれば良い。
【００１８】
図５は花器本体１及び花器台７で、花器台７には花器本体１を収納する収納空間８を少なくとも一つ以上備え、壁状の形状をなす。
【００１９】
図６の花器台７と花器本体１は該花器台の収納空間８の内壁面と花器本体１とを固定する固定手段９を備える。固定手段はネオジムマグネットなど着脱可能な固定手段であれば良い。
【図面の簡単な説明】
【００２０】
【図１】本考案の花器の実施例の透視斜視図である。
【図２】本考案の花器の実施例の斜視図である。
【図３】本考案の花器の実施例の固定状況の斜視図である。
【図４】本考案の花器の実施例の透視斜視図である。
【図５】本考案の花器及び花器台の実施例の斜視図である。
【図６】本考案の花器及び花器台の実施例の透視斜視図である。
【符号の説明】
【００２１】
１  花器本体
２ａ〜２ｄ  収容空間
３ａａ〜３ａｃ  開口部
３ｂａ〜３ｂｃ  開口部
３ｃａ〜３ｃｃ  開口部
３ｄａ〜３ｄｃ  開口部
４  壁面又はガラス面
５  固定手段
６  挿入孔
７  花器台
８  収納空間
９  固定手段
【図１】
0003114073.tif 000003
【図２】
0003114073.tif 000004
【図３】
0003114073.tif 000005
【図４】
0003114073.tif 000006
【図５】
0003114073.tif 000007
【図６】
0003114073.tif 000008